(57)【要約】【課題】車載機器の音響表示を，車内の騒音，周囲の騒音及びその他の雑音により，十分な聞き取り確認が行われないままに，又，開閉バー（遮断棒）の開閉状態を，十分に視認しないままに進行し，その結果，開閉バーへの衝突事故が多数発生している。又，悪天候時や夜間時においては，開閉バー（遮断棒）の開閉状態の視認が，困難な状況があり，開閉バーへの衝突事故が多数発生している。その為，ＥＴＣシステム等の開閉バー（遮断棒）への衝突事故を防止し，安全通行の確保を図る。【解決手段】ＥＴＣシステム等の料金所において，開閉バー（遮断棒）４の状態を，視認する機会を増大・確保するために，既存のＥＴＣシステム等に軽微な改装で，開閉バー（遮断棒）の状態及び開閉バーが開くことを知らす光学系の表示装置を，路面等に複数台数付加して設備する。【選択図】図１
0003114981.tif 000002
【実用新案登録請求の範囲】
【請求項１】
表示装置１，２，及び３は，車載機器，料金所端末装置，並びに開閉バー（遮断棒）４と，連動して動作し，通行の可否を表示する装置である。
【請求項２】
表示装置２及び３は，通路中央部の路面，路面直下，又は路面直上の視認容易な場所で，通行の妨げとならない位置に設備する。
【請求項３】
表示装置は，方形又は円柱形の形状に設備する。
【請求項４】
表示装置の表示部を，２箇所（Ａ及びＢ）とする場合，光学系の赤色系又は青色系を発光する部材を，左右又は上下の位置に設備する。
【請求項５】
表示装置の表示部を，１箇所とする場合，光学系の赤色系及び青色系を，交互に発光する部材を設備する。
【請求項６】
表示装置の表示部を，１箇所とする場合，閃光を発光する部材を設備する。
【請求項７】
表示装置の表示部を，１箇所とする場合，灯火を発光する部材を設備する。
【考案の詳細な説明】
【技術分野】
【０００１】
本考案は，開閉バー（遮断棒）の開閉状態を，複数の場所に表示することにより，安全かつ適切なスピードでＥＴＣシステム等を通行することを，補助する装置に関するものである。
【背景技術】
【０００２】
車載機器と料金所端末装置との情報交換通信が，適正に終了した場合，その後，開閉バー（遮断棒）が開き，通行可能となっているかどうかの確認は，車載機器の音響表示（ピッ，ピッピッ，ピンポン等）か，開閉バーの状態を直接視認するか，の２つの方法で行われている。
【考案の開示】
【考案が解決しようとする課題】
【０００３】
車載機器の音響表示を，車内の騒音，周囲の騒音及びその他の雑音により，十分な聞き取り確認が行われないままに，又，開閉バー（遮断棒）の開閉状態を，十分に視認しないままに進行し，その結果，開閉バーへの衝突事故が多数発生している。
【０００４】
悪天候時や夜間時においては，開閉バー（遮断棒）の開閉状態の視認が，困難な状況があり，開閉バーへの衝突事故が多数発生している。
【０００５】
開閉バー（遮断棒）の開閉状態の確認が，前記の２つの方法のみで，行われている点である。
【課題を解決するための手段】
【０００６】
本考案は，開閉バー（遮断棒）の開閉状態を表示する装置を，路面等に複数台数設備することを特徴とする。
【考案の効果】
【０００７】
視認の機会を増大させることにより，開閉バー（遮断棒）への衝突事故を防止し，ＥＴＣシステム等の安全通行を確保し，及び促進させることが可能となる利点がある。
【考案を実施するための最良の形態】
【０００８】
視認の機会が増大するという考案は，既存のＥＴＣシステム等に軽微な改装で，付加設備することで可能であり，大規模な改装工事を行わずに実現した。
【実施例１】
【０００９】
図１は，本考案を，表示装置３台並びにその表示部２箇所とする実施例１である。１〜３は，開閉状態を表示する表示装置である。４は，開閉バー（遮断棒）である。５は，通路である。１〜３は，車載機器と料金所端末装置との情報交換通信が終了し，通行可能となった場合に，４と連動して動作する機構である。
【００１０】
表示装置１は，運転席側の開閉バー（遮断棒）装置の近くに設備し，表示部１Ａ及び１Ｂは，上下（左右も可）に位置し，視認が容易なように，十分な輝度を有するＬＥＤ等の発光部材からなり，交通信号機と同様な光学系の赤色系及び青色系である。
【００１１】
表示装置２及び３は，通路中央部の路面，路面直下，又は路面直上等の視認容易な場所で，通行の妨げにならない位置に、方形又は円柱形の形状に設備し，表示部２Ａ，２Ｂ，３Ａ，及び３Ｂは，左右（上下も可）に位置し，その部材は，１Ａ及び１Ｂと同様である。
【００１２】
開閉バー（遮断棒）４が，閉の状態のとき，表示装置１〜３の表示部１Ａ，２Ａ，及び３Ａは，点灯状態であり，通行否を表示する。なお，その際，表示部１Ｂ，２Ｂ，及び３Ｂは，消灯状態である。車載機器と料金所端末装置との情報交換通信が終了し，通行可能となった場合，表示装置１〜３は，開閉バー（遮断棒）４と連動して動作し，表示部１Ａ，２Ａ，及び３Ａは，消灯し，表示部１Ｂ，２Ｂ，及び３Ｂが，点灯し，通行可を表示する機構である。
【実施例２】
【００１３】
図２は，本考案を，表示装置３台並びにその表示部１箇所とする実施例２である。開閉バー（遮断棒）４が，閉の状態のとき，表示装置１〜３の表示部６は，赤色系が点灯して，通行否を表示する。通行可能となった場合，表示部６は青色系の点灯に変わり，通行可を表示する機構である。なお，表示部６は，赤色系及び青色系を，交互に発光する部材を設備する。
【実施例３】
【００１４】
図２は，本考案を，表示装置３台並びにその表示部１箇所とする実施例３も示している。開閉バー（遮断棒）４が，閉の状態のとき，表示装置１〜３の表示部６は，消灯状態で，通行否を表示する。通行可能となった場合，表示部６が点灯し，通行可を表示する機構である。なお，表示部６は，閃光系発光部材も設備可能である。
【産業上の利用可能性】
【００１５】
駐車場等の出入り口の用途にも利用できる。
【図面の簡単な説明】
【００１６】
【図１】実施方法を示した説明図である。（実施例１）
【図２】実施方法を示した説明図である。（実施例２及び３）
【符号の説明】
【００１７】
１，２，３は，表示装置
１Ａ，１Ｂ，２Ａ，２Ｂ，３Ａ，３Ｂは，表示部（発光部材）
４は，開閉バー（遮断棒）
５は，通路
６は，表示部（発光部材）
【図１】
0003114981.tif 000003
【図２】
0003114981.tif 000004
【手続補正書】
【提出日】平成17年5月9日(2005.5.9)
【手続補正１】
【補正対象書類名】実用新案登録請求の範囲
【補正対象項目名】請求項３
【補正方法】変更
【補正の内容】
【請求項３】
表示装置は，角柱形又は円柱形の形状に設備する。
【手続補正２】
【補正対象書類名】明細書
【補正対象項目名】００１１
【補正方法】変更
【補正の内容】
【００１１】      表示装置２及び３は，通路中央部の路面，路面直下，又は路面直上等の視認容易な場所で，通行の妨げにならない位置に，角柱形又は円柱形の形状に設備し，表示部２Ａ，２Ｂ，３Ａ，及び３Ｂは，左右（上下も可）に位置し，その部材は，１Ａ及び１Ｂと同様である。
【手続補正書】
【提出日】平成17年6月1日(2005.6.1)
【手続補正２】
【補正対象書類名】実用新案登録請求の範囲
【補正対象項目名】請求項１
【補正方法】変更
【補正の内容】
【請求項１】
表示装置１，２，及び３は，車載機器，料金所端末装置，並びに開閉バー（遮断棒）４と連動して動作し，開閉バーの状態及び開閉バーが開くことを光学的に知らしめ，通行の可否を表示する装置である。
【手続補正３】
【補正対象書類名】実用新案登録請求の範囲
【補正対象項目名】請求項７
【補正方法】変更
【補正の内容】
【請求項７】
表示装置１は，開閉バー（遮断棒）４の近くの視認容易な場所で，通行の妨げにならない位置に設備する。
【手続補正書】
【提出日】平成17年6月4日(2005.6.4)
【手続補正１】
【補正対象書類名】実用新案登録請求の範囲
【補正対象項目名】全文
【補正方法】変更
【補正の内容】
【実用新案登録請求の範囲】
【請求項１】
装置の上面又は前面に十分な輝度を有する発行部材を備えた表示部を設け，その表示部は，車載機器，料金所端末装置並びに開閉バーの開閉動作と連動して動作する構成で，点灯，消灯又は点滅する構造とし，開閉バーの開閉状態及び開閉バーが開くことを光学的に知らしめ，通行の可否を表示することを特徴とする表示装置。
【請求項２】
通路中央部の路面，路面直下又は路面直上の視認容易な場所で，通行の妨げとならない位置に設備する構造を特徴とする請求項１記載の表示装置。
【請求項３】
開閉バー近くの視認容易な場所で，通行の妨げとならない位置に設備する構造を特徴とする請求項１記載の表示装置。
【請求項４】
角柱形又は円柱形の形状に設備する構造を特徴とする請求項１記載の表示装置。
【請求項５】
表示部を，２箇所とする場合，光学系の赤色系又は青色系を発光する部材を，左右又は上下の位置に備える構造を特徴とする請求項１記載の表示装置。
【請求項６】
表示部を，１箇所とする場合，光学系の赤色系及び青色系を，交互に発光する部材を備える構造を特徴とする請求項１記載の表示装置。
【請求項７】
表示部を，１箇所とする場合，閃光を発光する部材を備える構造を特徴とする請求項１記載の表示装置。